(57)【要約】【課題】都市部の狭小地住宅でも設置することができる貯湯式給湯器を提供する。【解決手段】内部に湯水を貯える貯湯タンク１００と貯湯タンク１００を収容する筐体１１０とを備え、貯湯タンク１００内に貯えられた湯水を需要家に供給する貯湯式給湯器１であって、貯湯タンク１００内に貯えられた湯水を取り出す取出口３００を筐体１１０近傍に備える。【選択図】図２
2012002407.tif 000002
【特許請求の範囲】
【請求項１】
内部に湯水を貯える貯湯タンクと前記貯湯タンクを収容する筐体とを備え、前記貯湯タンク内に貯えられた湯水を需要家に供給する貯湯式給湯器であって、
前記貯湯タンク内に貯えられた湯水を取り出す取出口を前記筐体近傍に備える
貯湯式給湯器。
【請求項２】
前記取出口は、前記貯湯タンクの外方かつ前記筐体の内方に配置される蛇口である
請求項１に記載の貯湯式給湯器。
【請求項３】
さらに、
前記取出口から湯水が取り出されることで前記貯湯タンク内に貯えられた湯水の量が所定の量よりも少なくなった場合、又は前記取出口からの湯水の取り出しが開始されてから所定の時間が経過した場合に、前記取出口から取り出される湯水の量を低減させる、又は前記取出口からの湯水の取り出しを停止させる湯水制御部を備える
請求項１又は２に記載の貯湯式給湯器。
【請求項４】
さらに、
前記取出口から取り出される湯水の温度を所定の温度に保持する湯水制御部を備える
請求項１又は２に記載の貯湯式給湯器。
【請求項５】
さらに、
前記貯湯タンク内に貯えられた湯水を加熱する加熱部と、
前記取出口から取り出された湯水の量に対応する量の湯水を加熱するように、前記加熱部に前記貯湯タンク内に貯えられた湯水を加熱させる加熱制御部とを備える
請求項１〜４のいずれか1項に記載の貯湯式給湯器。
【請求項６】
さらに、
前記貯湯タンクと前記取出口との間に配置され、前記取出口から、前記貯湯タンクから取り出される湯水に給水を混合して温度が低下した湯水を取り出す、又は当該湯水に代えて当該給水を取り出すための取出弁を備える
請求項１〜５のいずれか1項に記載の貯湯式給湯器。
【請求項７】
さらに、
前記貯湯タンク内に貯えられた湯水の前記需要家への供給を遠隔で制御可能な遠隔制御装置を備え、
前記遠隔制御装置は、前記取出口から取り出される湯水の量又は温度を制御する
請求項１〜６のいずれか1項に記載の貯湯式給湯器。
【請求項８】
内部に湯水を貯える貯湯タンクと前記貯湯タンクを収容する筐体とを備え、前記貯湯タンク内に貯えられた湯水を需要家に供給する貯湯式給湯器であって、
商用電力系統に接続され、電力を供給する電源を前記筐体近傍に備える
貯湯式給湯器。
【請求項９】
前記電源は、電力を供給する電源コンセントであり、前記貯湯タンクの外方かつ前記筐体の内方に配置される
請求項８に記載の貯湯式給湯器。
【請求項１０】
さらに、
前記電源からの電力の供給を遮断する電力供給遮断部を備える
請求項８又は９に記載の貯湯式給湯器。
【請求項１１】
さらに、
前記電源から供給される電力を所定の値以下に制限する電源制御部を備える
請求項８〜１０のいずれか1項に記載の貯湯式給湯器。
【請求項１２】
さらに、
時刻を計測する時刻計測部と、
前記時刻計測部が計測した時刻を用いて、所定の期間に前記電源に電力を供給させる電源制御部とを備える
請求項８〜１０のいずれか1項に記載の貯湯式給湯器。
【請求項１３】
さらに、
前記貯湯タンク内に貯えられた湯水を加熱する加熱部と、
前記加熱部が湯水を加熱する予定期間を保持している加熱制御部とを備え、
前記電源制御部は、前記加熱制御部から前記予定期間を取得することで、前記電源に電力を供給させる期間と前記電源に供給させる電力の値である電力値とを決定し、前記時刻計測部が計測した時刻を用いて、決定した前記期間に決定した前記電力値の電力を前記電源に供給させる
請求項１２に記載の貯湯式給湯器。
【請求項１４】
さらに、
前記商用電力系統から電力を取得する電力取得部を備えるとともに、
前記貯湯タンクの外方かつ前記筐体の内方に、前記電力取得部を介して電力が供給される撮像装置、照明装置及び音声出力装置のうちの少なくとも１つを備える
請求項８〜１３のいずれか1項に記載の貯湯式給湯器。
【請求項１５】
さらに、
前記貯湯タンク内に貯えられた湯水の前記需要家への供給を遠隔で制御可能な遠隔制御装置を備え、
前記遠隔制御装置は、前記電源及び前記少なくとも１つのうちの少なくとも１つを制御する
請求項１４に記載の貯湯式給湯器。
【請求項１６】
さらに、
前記遠隔制御装置による制御を、制御可能から制御不能に、又は制御不能から制御可能に切り替える切替部を備える
請求項７又は１５に記載の貯湯式給湯器。
【請求項１７】
内部に湯水を貯える貯湯タンクと前記貯湯タンクを収容する筐体とを備え、前記貯湯タンク内に貯えられた湯水を需要家に供給する貯湯式給湯器の運転を制御する制御装置であって、
前記貯湯式給湯器は、前記貯湯タンク内に貯えられた湯水を取り出す取出口を前記筐体近傍に備え、
前記制御装置は、前記取出口から湯水が取り出されることで前記貯湯タンク内に貯えられた湯水の量が所定の量よりも少なくなった場合、又は前記取出口からの湯水の取り出しが開始されてから所定の時間が経過した場合に、前記取出口から取り出される湯水の量を低減させる、又は前記取出口からの湯水の取り出しを停止させる湯水制御部を備える
制御装置。
【請求項１８】
内部に湯水を貯える貯湯タンクと前記貯湯タンクを収容する筐体とを備え、前記貯湯タンク内に貯えられた湯水を需要家に供給する貯湯式給湯器を制御する制御装置であって、
前記貯湯式給湯器は、
前記筐体近傍に備えられ、商用電力系統に接続され、電力を供給する電源と、
前記貯湯タンク内に貯えられた湯水を加熱する加熱部とを備え、
前記制御装置は、
前記加熱部が湯水を加熱する予定期間を保持している加熱制御部と、
時刻を計測する時刻計測部と、
前記時刻計測部が計測した時刻を用いて、所定の期間に前記電源に電力を供給させる電源制御部と、
を備え、
前記電源制御部は、前記加熱制御部から前記予定期間を取得することで、前記電源に電力を供給させる期間を決定し、前記時刻計測部が計測した時刻を用いて、決定した期間に前記電源に電力を供給させる
制御装置。
【発明の詳細な説明】
【技術分野】
【０００１】
本発明は、内部に湯水を貯える貯湯タンクと貯湯タンクを収容する筐体とを備え、貯湯タンク内に貯えられた湯水を需要家に供給する貯湯式給湯器及びその制御装置に関する。
【背景技術】
【０００２】
近年、給水配管から貯湯タンク内に取り込んだ給水を加熱し、加熱された貯湯タンク内の湯水を、給湯配管を通じて需要家に供給する貯湯式給湯器が、広く知られている。ここで、貯湯タンクに多くの湯水を貯えておく必要性から貯湯タンクが大型化し、当該貯湯タンクを備える貯湯式給湯器を設置するには、大きな場所を必要とする。
【０００３】
このため、従来、貯湯タンクを小型化した貯湯式給湯器が提案されている（例えば、特許文献１参照）。
【先行技術文献】
【特許文献】
【０００４】
【特許文献１】特開２００８−３０４１４５号公報
【発明の概要】
【発明が解決しようとする課題】
【０００５】
ここで、通常、貯湯式給湯器は、目立たない場所である住宅間の隣地境界に設置される。しかし、都市部の狭小地住宅では、住宅間の隣地境界が非常に狭い。このため、上記従来の貯湯タンクを小型化した貯湯式給湯器においても、都市部の狭小地住宅に当該貯湯式給湯器を設置することは、困難である。
【０００６】
そこで、本発明は、このような問題に鑑みてなされたものであり、都市部の狭小地住宅でも設置することができる貯湯式給湯器及びその制御装置を提供することを目的とする。
【課題を解決するための手段】
【０００７】
上記目的を達成するために、本発明に係る貯湯式給湯器は、内部に湯水を貯える貯湯タンクと前記貯湯タンクを収容する筐体とを備え、前記貯湯タンク内に貯えられた湯水を需要家に供給する貯湯式給湯器であって、前記貯湯タンク内に貯えられた湯水を取り出す取出口を前記筐体近傍に備える。
【０００８】
これによれば、湯水を取り出す取出口を、貯湯タンクを収容する筐体近傍に備える。つまり、当該筐体近傍に、付加機能として、湯水取り出し用の蛇口を備えている。このため、当該貯湯式給湯器を住宅の玄関脇等に設置することで、水栓工事を行うことなく屋外で湯水を簡易に使用することができる。したがって、当該貯湯式給湯器を、隣地境界ではなく住宅の玄関脇等の目立つ場所に違和感無く設置することができるので、都市部の狭小地住宅でも、当該貯湯式給湯器を設置することができる。
【０００９】
また、好ましくは、前記取出口は、前記貯湯タンクの外方かつ前記筐体の内方に配置される蛇口である。
【００１０】
これによれば、取出口は、貯湯タンクの外方かつ筐体の内方に配置される蛇口である。つまり、取出口を、筐体内のデッドスペースに配置する。これにより、省スペース化を図りつつ、都市部の狭小地住宅に、当該貯湯式給湯器を設置することができる。
【００１１】
また、好ましくは、さらに、前記取出口から湯水が取り出されることで前記貯湯タンク内に貯えられた湯水の量が所定の量よりも少なくなった場合、又は前記取出口からの湯水の取り出しが開始されてから所定の時間が経過した場合に、前記取出口から取り出される湯水の量を低減させる、又は前記取出口からの湯水の取り出しを停止させる湯水制御部を備える。
【００１２】
これによれば、取出口から湯水を取り出して、貯湯タンク内の湯水が少なくなったり、一定時間経過した場合に、取り出す湯水の量を低減させたり、湯水の取り出しを停止させる。つまり、貯湯タンク内に一定量の湯水を確保するために、自動的に取出口からの湯量を制限する。これにより、生活に必要な湯量を確保しつつ、取出口から湯水を取り出すことができる。
【００１３】
また、好ましくは、さらに、前記取出口から取り出される湯水の温度を所定の温度に保持する湯水制御部を備える。
【００１４】
これによれば、取出口から取り出される湯水の温度を所定の温度に保持する。これにより、例えば、湯水の温度を２５度程度の低温に自動的に固定することで、必要の無い高温の湯水を消費することを防止することができる。
【００１５】
また、好ましくは、さらに、前記貯湯タンク内に貯えられた湯水を加熱する加熱部と、前記取出口から取り出された湯水の量に対応する量の湯水を加熱するように、前記加熱部に前記貯湯タンク内に貯えられた湯水を加熱させる加熱制御部とを備える。
【００１６】
これによれば、取出口から取り出された湯水の量に対応する量の湯水を加熱するように、加熱部に貯湯タンク内の湯水を加熱させる。このため、取出口から湯水が取り出されても、取り出された湯量に応じて貯湯タンク内の湯水が加熱されるため、貯湯タンク内の湯水が湯切れすることを防止することができる。
【００１７】
また、好ましくは、さらに、前記貯湯タンクと前記取出口との間に配置され、前記取出口から、前記貯湯タンクから取り出される湯水に給水を混合して温度が低下した湯水を取り出す、又は当該湯水に代えて当該給水を取り出すための取出弁を備える。
【００１８】
これによれば、低温の湯水を取り出したり、給水を取り出すための取出弁を備える。つまり、取出口から、湯と水とを切り替えて取り出すことができる。このため、湯を使用する必要がない場合には、水に切り替えて取り出すことができるので、必要の無い湯を消費することを防止することができる。
【００１９】
また、好ましくは、さらに、前記貯湯タンク内に貯えられた湯水の前記需要家への供給を遠隔で制御可能な遠隔制御装置を備え、前記遠隔制御装置は、前記取出口から取り出される湯水の量又は温度を制御する。
【００２０】
これによれば、遠隔制御装置によって、取出口から取り出される湯水の量又は温度を制御する。このため、例えば需要家への給湯用として従来の貯湯式給湯器が備えているリモコンを活用して、取出口から取り出される湯水の量又は温度を制御することができる。
【００２１】
また、上記目的を達成するために、本発明に係る貯湯式給湯器は、内部に湯水を貯える貯湯タンクと前記貯湯タンクを収容する筐体とを備え、前記貯湯タンク内に貯えられた湯水を需要家に供給する貯湯式給湯器であって、商用電力系統に接続され、電力を供給する電源を前記筐体近傍に備える。
【００２２】
これによれば、電力を供給する電源を、貯湯タンクを収容する筐体近傍に備える。つまり、当該筐体近傍に、付加機能として、電力供給用の電源を備えている。このため、当該貯湯式給湯器を住宅の玄関脇等に設置することで、電源工事を行うことなく屋外で電力を簡易に使用することができる。したがって、当該貯湯式給湯器を、隣地境界ではなく住宅の玄関脇等の目立つ場所に違和感無く設置することができるので、都市部の狭小地住宅でも、当該貯湯式給湯器を設置することができる。
【００２３】
また、好ましくは、前記電源は、電力を供給する電源コンセントであり、前記貯湯タンクの外方かつ前記筐体の内方に配置される。
【００２４】
これによれば、電源コンセントが、貯湯タンクの外方かつ筐体の内方に配置される。つまり、電源コンセントを、筐体内のデッドスペースに配置する。これにより、省スペース化を図りつつ、都市部の狭小地住宅に、当該貯湯式給湯器を設置することができる。
【００２５】
また、好ましくは、さらに、前記電源からの電力の供給を遮断する電力供給遮断部を備える。
【００２６】
これによれば、例えば鍵を掛けて電源からの電力の供給を遮断することで、第三者によって電源から電力が盗電されるのを防ぐことができる。
【００２７】
また、好ましくは、さらに、前記電源から供給される電力を所定の値以下に制限する電源制御部を備える。
【００２８】
これによれば、電源から供給される電力を所定の値以下に制限する。このため、貯湯式給湯器が湯水の加熱に使用する電力に影響を与えないように、電源が供給する電力の値を制限することができる。
【００２９】
また、好ましくは、さらに、時刻を計測する時刻計測部と、前記時刻計測部が計測した時刻を用いて、所定の期間に前記電源に電力を供給させる電源制御部とを備える。
【００３０】
これによれば、時刻計測部が計測した時刻を用いて、所定の期間に電源に電力を供給させる。つまり、貯湯式給湯器に備えられている制御用の時計を利用して、電源から供給される電力の使用量を、タイマー制御することができる。これにより、例えば電気自動車や電動自転車の充電を、例えば夜間などの電気料金が安価な時間帯に行う場合にタイマー設定を行ったり、夜間のイルミネーションの点灯をタイマー設定したりすることができる。
【００３１】
また、好ましくは、さらに、前記貯湯タンク内に貯えられた湯水を加熱する加熱部と、前記加熱部が湯水を加熱する予定期間を保持している加熱制御部とを備え、前記電源制御部は、前記加熱制御部から前記予定期間を取得することで、前記電源に電力を供給させる期間と前記電源に供給させる電力の値である電力値とを決定し、前記時刻計測部が計測した時刻を用いて、決定した前記期間に決定した前記電力値の電力を前記電源に供給させる。
【００３２】
これによれば、湯水を加熱する予定期間から、電源に電力を供給させる期間と電源に供給させる電力値とを決定し、時刻計測部が計測した時刻を用いて、決定した期間に決定した電力値の電力を電源に供給させる。つまり、例えば、湯水の加熱が終了した後に電流値を調整して電源からの電力供給を行うなど、電源に電力を供給させる期間や電力値を決定し、当該期間に当該電力値の電力を電源に供給させる。このため、タイマー制御を活用して、貯湯式給湯器が湯水の加熱に使用する電力と、電源から供給される電力とのバランスを自動的に制御することができる。
【００３３】
また、好ましくは、さらに、前記商用電力系統から電力を取得する電力取得部を備えるとともに、前記貯湯タンクの外方かつ前記筐体の内方に、前記電力取得部を介して電力が供給される撮像装置、照明装置及び音声出力装置のうちの少なくとも１つを備える。
【００３４】
これによれば、貯湯タンクの外方かつ筐体の内方に、撮像装置、照明装置及び音声出力装置のうちの少なくとも１つを備える。つまり、従来、個別に設置する必要があったインターフォンやインターフォン用のカメラ、玄関照明などを、筐体内のデッドスペースに、付加機能として設置することができる。また、筐体内のデッドスペースに設置する撮像装置、照明装置及び音声出力装置として、監視カメラ、威嚇用のフラッシュライト及び音声威嚇用のスピーカなどを設置することにしてもよい。これによれば、当該貯湯式給湯器を住宅の玄関脇等に設置することで、監視や威嚇などのセキュリティ機能を備えた機器を設置することなく、屋外でのセキュリティ確保を簡易に図ることができる。また、筐体内のデッドスペースに配置することで、省スペース化を図ることができる。したがって、当該貯湯式給湯器を、隣地境界ではなく住宅の玄関脇等の目立つ場所に違和感無く設置することができるので、都市部の狭小地住宅でも、当該貯湯式給湯器を設置することができる。
【００３５】
また、好ましくは、さらに、前記貯湯タンク内に貯えられた湯水の前記需要家への供給を遠隔で制御可能な遠隔制御装置を備え、前記遠隔制御装置は、前記電源及び前記少なくとも１つのうちの少なくとも１つを制御する。
【００３６】
これによれば、遠隔制御装置によって、電源、撮像装置、照明装置及び音声出力装置のうちの少なくとも１つを制御する。このため、例えば需要家への給湯用として従来の貯湯式給湯器が備えているリモコンを活用して、電源、撮像装置、照明装置又は音声出力装置を制御することができる。
【００３７】
また、好ましくは、さらに、前記遠隔制御装置による制御を、制御可能から制御不能に、又は制御不能から制御可能に切り替える切替部を備える。
【００３８】
これによれば、遠隔制御装置による制御を、制御可能から制御不能に、又は制御不能から制御可能に切り替える。つまり、リモコンでの制御を不能にしたり、可能にしたり切り替えることができる。これにより、例えば筐体近傍での付加機能の使用時に、リモコンでの制御を不能にしてリモコンによる不意の動作変更を防止したり、また、筐体近傍での付加機能の終了忘れなどの場合に、リモコンで強制的に当該付加機能の終了を行えるようにしたりすることができる。
【００３９】
また、本発明は、このような貯湯式給湯器として実現できるだけでなく、貯湯式給湯器を制御する制御装置として実現したり、当該制御装置を構成する各処理部をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００４０】
本発明によれば、都市部の狭小地住宅でも設置することができる貯湯式給湯器を提供することができる。
【図面の簡単な説明】
【００４１】
【図１】本発明の実施の形態に係る貯湯式給湯器の概略構成を示す図である。
【図２】本発明の実施の形態に係る給湯部の構成を説明する図である。
【図３】本発明の実施の形態に係る取出口及び電源が、筐体に収納された状態を示す斜視図である。
【図４】本発明の実施の形態に係る制御装置の機能構成を示すブロック図である。
【図５】本発明の実施の形態に係る湯水制御部の動作の一例を示すフローチャートである。
【図６】本発明の実施の形態に係る電源制御部の動作の一例を示すフローチャートである。
【図７】本発明の実施の形態に係る貯湯式給湯器が取出口を備えることによる効果を説明するための図である。
【図８】本発明の実施の形態に係る貯湯式給湯器が電源を備えることによる効果を説明するための図である。
【発明を実施するための形態】
【００４２】
以下、本発明の実施の形態における貯湯式給湯器について、図面を参照しながら説明する。
【００４３】
図１は、本発明の実施の形態に係る貯湯式給湯器１の概略構成を示す図である。
貯湯式給湯器１は、貯湯タンク内に貯えられた湯水を需要家の給湯負荷に供給する給湯設備機器である。具体的には、貯湯式給湯器１は、例えばエコキュート（登録商標）などの自然冷媒ヒートポンプ給湯器である。同図に示すように、貯湯式給湯器１は、給湯部１０、加熱部２０及び遠隔制御装置３０を備えている。
【００４４】
なお、貯湯式給湯器１は、エコウィル（登録商標）などの家庭用ガスエンジンコージェネレーションシステムや、エネファーム（登録商標）などの家庭用燃料電池コージェネレーションシステムなどであってもよい。
【００４５】
給湯部１０は、加熱部２０によって加熱された湯水を貯湯タンク１００内に貯え、貯湯タンク１００内に貯えられた湯水を需要家の給湯負荷である負荷部３に供給する部位である。なお、負荷部３は、需要家が給湯を行うための機器や、需要家が暖房や風呂追い焚きを行うための機器を備えている。なお、給湯部１０から供給され負荷部３で利用された湯水の一部は、給湯部１０に戻されることにしてもよい。
【００４６】
ここで、給湯部１０は、内部に湯水を貯える貯湯タンク１００、貯湯式給湯器１を制御する制御装置２００、貯湯タンク１００内に貯えられた湯水を取り出す取出口３００、商用電力系統２に接続されて電力を供給する電源４００、撮像装置５００、照明装置６００及び音声出力装置７００を備えている。
【００４７】
具体的には、貯湯タンク１００内に貯えられた湯水は、加熱部２０によって加熱され、加熱された湯水は、貯湯タンク１００に戻されて、貯えられる。また、貯湯タンク１００に貯えられている湯水の量に応じて、貯湯タンク１００に給水が補充される。そして、貯湯タンク１００に貯えられた湯水は、需要家の指示により、負荷部３に供給される。
【００４８】
また、貯湯タンク１００と取出口３００との間には、取出弁３１０が備えられている。取出弁３１０は、貯湯タンク１００から取り出される湯水に給水を混合して温度が低下した湯水を、取出口３００から取り出す、又は当該湯水に代えて当該給水を取出口３００から取り出すための三方弁である。
【００４９】
また、制御装置２００は、取出弁３１０の開閉を制御することで、取出口３００から取り出される湯水の湯温や湯量を制御する。また、制御装置２００は、電源４００が供給する電力の値を制御したり、撮像装置５００、照明装置６００又は音声出力装置７００の動作を制御する。
【００５０】
なお、これら給湯部１０が備える各部のさらに詳細な説明については、後述する。
加熱部２０は、給湯部１０が備える貯湯タンク１００内に貯えられた湯水を加熱するヒートポンプなどを有する加熱装置である。具体的には、加熱部２０は、圧縮機、熱交換器やポンプなどを有しており、貯湯タンク１００から取り出された湯水を熱交換器で高温水に加熱し、貯湯タンク１００に戻す。
【００５１】
遠隔制御装置３０は、貯湯タンク１００内に貯えられた湯水の需要家への供給を遠隔で制御可能な装置である。具体的には、遠隔制御装置３０は、需要家への給湯を制御するリモコンである。また、遠隔制御装置３０は、給湯部１０が備える制御装置２００を制御する。具体的には、遠隔制御装置３０は、給湯部１０が備える取出口３００から取り出される湯水の量又は温度を制御したり、電源４００、撮像装置５００、照明装置６００又は音声出力装置７００を制御する。
【００５２】
次に、給湯部１０が備える各部の詳細について、説明する。
図２は、本発明の実施の形態に係る給湯部１０の構成を説明する図である。具体的には、同図の（ａ）は、給湯部１０が備える各部が筐体１１０に収納された状態を示す斜視図である。また、同図の（ｂ）は、同図の（ａ）に示した筐体１１０をＡ−Ａ断面で切断した場合の断面図である。
【００５３】
また、図３は、本発明の実施の形態に係る取出口３００及び電源４００が、筐体１１０に収納された状態を示す斜視図である。具体的には、同図の（ａ）は、取出口３００が筐体１１０に収納された状態を示す斜視図であり、同図の（ｂ）は、電源４００が筐体１１０に収納された状態を示す斜視図である。
【００５４】
まず、図２の（ａ）に示すように、給湯部１０は、金属製の矩形形状の筐体１１０を備えている。つまり、筐体１１０は、給湯部１０が備える各部を収容し、保護するカバーである。なお、筐体１１０の材質及び形状は、金属製の矩形形状には限定されず、材質は樹脂製などであってもよいし、形状は円筒形状などであってもよい。
【００５５】
貯湯タンク１００は、筐体１１０に収容された金属製の円筒形状のタンクである。なお、貯湯タンク１００の材質は、耐熱性の材質であれば金属には限定されない。また、貯湯タンク１００の形状は、円筒形状には限定されず、矩形形状などであってもよい。
【００５６】
また、取出口３００は、筐体１１０近傍に備えられている。具体的には、取出口３００は、貯湯タンク１００の外方かつ筐体１１０の内方に配置されている。つまり、図２の（ａ）に示すように、取出口３００は、筐体１１０の角部のデッドスペースに配置されている。
【００５７】
ここで、図３の（ａ）に示すように、取出口３００は、湯水を取り出す蛇口である。そして、取出口３００は、筐体１１０の角部のデッドスペースに、筐体１１０に収容されて配置されており、筐体１１０には、取出口３００の前方を開閉自在に塞ぐ蓋１１１が備えられている。
【００５８】
また、蓋１１１には、取出口３００からの湯水の取り出しを遮断する湯水供給遮断部として、蓋１１１を閉止状態にさせる鍵１１１ａが設置されている。この鍵１１１ａは、第三者が取出口３００からの湯水の取り出しを行うことができないように、ユーザが蓋１１１を閉止状態にする鍵であり、手動によって閉止状態にしてもよいし、自動で閉止状態にしてもよい。
【００５９】
図２の（ａ）に戻り、電源４００は、筐体１１０近傍に備えられている。具体的には、電源４００は、貯湯タンク１００の外方かつ筐体１１０の内方に配置されている。つまり、電源４００は、筐体１１０の角部のデッドスペースに配置されている。
【００６０】
ここで、図３の（ｂ）に示すように、電源４００は、電力を供給する電源コンセントである。具体的には、電源４００は、２００Ｖ電源コンセント４１０と２つの１００Ｖ電源コンセント４２０とを備えている。そして、電源４００は、筐体１１０の角部のデッドスペースに、筐体１１０に収容されて配置されており、筐体１１０には、電源４００の前方を開閉自在に塞ぐ蓋１１２が備えられている。
【００６１】
また、蓋１１２には、電源４００からの電力の供給を遮断する電力供給遮断部として、蓋１１２を閉止状態にさせる鍵１１２ａが設置されている。この鍵１１２ａは、第三者が電源４００からの電力の供給を受けることができないように、ユーザが蓋１１２を閉止状態にする鍵であり、手動によって閉止状態にしてもよいし、自動で閉止状態にしてもよい。
【００６２】
また、電源４００は、漏電防止機能など、屋外利用のための安全機能を有している。なお、電源４００は、２００Ｖ電源コンセント４１０と１００Ｖ電源コンセント４２０との双方を備えていなくともよく、２００Ｖ電源コンセント４１０及び１００Ｖ電源コンセント４２０のうちのいずれか一方のみしか備えていなくてもよい。
【００６３】
図２の（ａ）に戻り、撮像装置５００、照明装置６００及び音声出力装置７００は、取出口３００や電源４００と同様に、貯湯タンク１００の外方かつ筐体１１０の内方に配置されている。つまり、撮像装置５００、照明装置６００及び音声出力装置７００も、筐体１１０の角部のデッドスペースに配置されている。
【００６４】
ここで、撮像装置５００は、例えば監視用の監視カメラであり、照明装置６００は、例えば威嚇用のフラッシュライトであり、音声出力装置７００は、例えば威嚇用のスピーカである。そして、撮像装置５００、照明装置６００及び音声出力装置７００のそれぞれは、筐体１１０に収容されて配置されており、筐体１１０には、撮像装置５００、照明装置６００及び音声出力装置７００のそれぞれの前方を開閉自在に塞ぐ蓋１１３、１１４、１１５が備えられている。
【００６５】
また、蓋１１３、１１４及び１１５には、蓋１１１及び１１２と同様に、それぞれ鍵１１３ａ、１１４ａ及び１１５ａ（図示せず）が設置されている。
【００６６】
なお、給湯部１０は、取出口３００、電源４００、撮像装置５００、照明装置６００及び音声出力装置７００の全てを備えていなくともよく、取出口３００、電源４００、撮像装置５００、照明装置６００及び音声出力装置７００のうちの少なくとも１つを備えていればよい。
【００６７】
次に、貯湯式給湯器１の制御装置２００の機能構成を説明する。
図４は、本発明の実施の形態に係る制御装置２００の機能構成を示すブロック図である。
【００６８】
同図に示すように、制御装置２００は、電力取得部２１０、加熱制御部２２０、湯水制御部２３０、電源制御部２４０、撮像制御部２５０、照明制御部２６０、音声制御部２７０及び時刻計測部２８０を備えている。
【００６９】
電力取得部２１０は、商用電力系統２から、電力を取得する。そして、電力取得部２１０は、取得した電力を、加熱制御部２２０、湯水制御部２３０、電源制御部２４０、撮像制御部２５０、照明制御部２６０、音声制御部２７０及び時刻計測部２８０に供給する。つまり、取出弁３１０、電源４００、撮像装置５００、照明装置６００及び音声出力装置７００には、電力取得部２１０を介して、電力が供給される。
【００７０】
加熱制御部２２０は、加熱部２０に、貯湯タンク１００内に貯えられた湯水を加熱させる。具体的には、加熱制御部２２０は、取出口３００から取り出された湯水の量に対応する量の湯水を加熱するように、加熱部２０に貯湯タンク１００内に貯えられた湯水を加熱させる。また、加熱制御部２２０は、加熱部２０が湯水を加熱する予定期間と湯水の加熱量とを保持している。
【００７１】
湯水制御部２３０は、取出弁３１０の開閉状態を制御し、取出口３００から取り出される湯水の量又は温度を制御する。具体的には、湯水制御部２３０は、取出口３００から取り出される湯水の温度を所定の温度に保持する。ここで、所定の温度とは、ユーザの設定によって定められる温度であり、どのような温度であってもよいが、例えば、２５度である。
【００７２】
また、湯水制御部２３０は、取出口３００から湯水が取り出されることで貯湯タンク１００内に貯えられた湯水の量が所定の量よりも少なくなった場合、又は取出口３００からの湯水の取り出しが開始されてから所定の時間が経過した場合に、取出口３００から取り出される湯水の量を低減させる、又は取出口３００からの湯水の取り出しを停止させる。この湯水制御部２３０が、取出口３００から湯水の取り出しを行う際の処理の詳細については、後述する。
【００７３】
電源制御部２４０は、電源４００から供給される電力の値又は電力の供給期間を制御する。具体的には、電源制御部２４０は、電源４００から供給される電力を所定の値以下に制限する。ここで、所定の値とは、ユーザの設定によって定められる値であり、どのような値であってもよいが、例えば、加熱部２０による湯水の加熱に影響を与えない値である。
【００７４】
また、電源制御部２４０は、時刻計測部２８０が計測した時刻を用いて、所定の期間に電源４００に電力を供給させる。ここで、電源制御部２４０が電源４００に電力を供給させる所定の期間とは、ユーザの設定によって自由に定められる期間であってもよいし、電源制御部２４０が決定する期間であってもよい。
【００７５】
つまり、電源制御部２４０は、加熱制御部２２０から加熱部２０が湯水を加熱する予定期間と湯水の加熱量とを取得することで、電源４００に電力を供給させる期間と電源４００に供給させる電力の値である電力値とを決定し、時刻計測部２８０が計測した時刻を用いて、決定した期間に決定した電力値の電力を電源４００に供給させる。この電源制御部２４０が、電力供給期間及び電力値を決定して電源４００に電力を供給させる処理の詳細については、後述する。
【００７６】
撮像制御部２５０は、撮像装置５００を制御する。例えば、撮像制御部２５０は、貯湯式給湯器１の周辺に近付く物体に反応して撮像装置５００を起動させ、貯湯式給湯器１の周辺を撮像することで、カメラによる監視を行う。
【００７７】
照明制御部２６０は、照明装置６００を制御する。例えば、照明制御部２６０は、貯湯式給湯器１の周辺に近付く物体に反応して、又は所定の時刻に照明装置６００を起動させ、照明の光による威嚇を行う。ここで、所定の時刻とは、ユーザの設定によって定められる時刻であり、どのような時刻であってもよいが、例えば、夜間に威嚇を行う時刻として、２３時から３０分間隔で行う。
【００７８】
音声制御部２７０は、音声出力装置７００を制御する。例えば、音声制御部２７０は、インターフォン機能を活用し、女性の声を男性の声に変換して音声出力装置７００に出力させることで、音声による威嚇を行う。
【００７９】
時刻計測部２８０は、貯湯式給湯器１に内蔵された時刻を計測する制御用の時計である。
【００８０】
ここで、加熱制御部２２０、湯水制御部２３０、電源制御部２４０、撮像制御部２５０、照明制御部２６０、音声制御部２７０は、遠隔制御装置３０と有線又は無線で接続されており、遠隔制御装置３０により、当該各制御部を制御可能である。
【００８１】
また、貯湯式給湯器１は、遠隔制御装置３０による制御装置２００の各制御部の制御を、制御可能から制御不能に、又は制御不能から制御可能に切り替える切替部３１を備えている。
【００８２】
例えば、取出口３００から湯水の取り出しや、電源４００からの電力供給を行っている場合に、切替部３１により、遠隔制御装置３０からの制御装置２００の制御を制御不能にする。また、取出口３００からの湯水の取り出しの停止し忘れや電源４００からの電力供給の停止し忘れなどの際に、切替部３１により、遠隔制御装置３０からの制御装置２００の制御を制御可能にする。
【００８３】
次に、制御装置２００が備える湯水制御部２３０が、取出口３００から湯水の取り出しを行う際の処理について、説明する。
【００８４】
図５は、本発明の実施の形態に係る湯水制御部２３０の動作の一例を示すフローチャートである。
【００８５】
同図に示すように、まず、取出口３００から湯水が取り出される（Ｓ１０２）。例えば、ユーザが車の洗車をする場合などでは、ユーザは、取出口３００から長い時間、多くの湯水を取り出す。
【００８６】
そして、湯水制御部２３０は、取出口３００から湯水が取り出されることで貯湯タンク１００内に貯えられた湯水の量が所定の量よりも少なくなったか否か、又は取出口３００からの湯水の取り出しが開始されてから所定の時間が経過したか否かを判断する（Ｓ１０４）。
【００８７】
ここで、所定の量とは、例えば、風呂の湯張りに必要な最低限の湯量である。また、所定の時間とは、例えば、１時間である。なお、湯水制御部２３０は、この所定の時間が経過したか否かを、例えば時刻計測部２８０によって計測される時刻から判断することができる。
【００８８】
そして、湯水制御部２３０が、当該湯水の量が所定の量よりも少なくなった、又は当該所定の時間が経過したと判断した場合（Ｓ１０４でＹＥＳ）、湯水制御部２３０が、取出口３００から取り出される湯水の量を低減させる又は取出口３００からの湯水の取り出しを停止させる、又は、加熱制御部２２０が、加熱部２０に貯湯タンク１００内に貯えられた湯水を加熱させる（Ｓ１０６）。
【００８９】
つまり、風呂の湯張りなど生活に必要な最低限の湯量を確保するように、湯水制御部２３０が取出口３００からの湯水の取り出しを制限する制御を行うか、加熱制御部２２０がお湯の焚き増しを行う。
【００９０】
また、湯水制御部２３０は、当該湯水の量が所定の量よりも少なくなっておらず、かつ当該所定の時間が経過していないと判断した場合は（Ｓ１０４でＮＯ）、処理を終了する。
【００９１】
以上により、制御装置２００が備える湯水制御部２３０が、取出口３００から湯水の取り出しを行う際の処理は、終了する。
【００９２】
なお、上記処理において、加熱制御部２２０は、湯水の量や経過時間を判断することなく、取出口３００から取り出された湯水の量に対応する量の湯水を加熱するように、随時、加熱部２０に貯湯タンク１００内に貯えられた湯水を加熱させることにしてもよい。
【００９３】
次に、制御装置２００が備える電源制御部２４０が、電力供給期間及び電力値を決定して電源４００に電力を供給させる処理の詳細について、説明する。
【００９４】
図６は、本発明の実施の形態に係る電源制御部２４０の動作の一例を示すフローチャートである。
【００９５】
同図に示すように、まず、電源制御部２４０は、加熱制御部２２０から、加熱部２０が湯水を加熱する予定期間と湯水の加熱量とを取得する（Ｓ２０２）。つまり、加熱制御部２２０は、加熱部２０が湯水を加熱する予定期間と湯水の加熱量とを保持しているため、電源制御部２４０は、加熱制御部２２０から当該予定期間と加熱量とを取得する。例えば、電源制御部２４０は、加熱部２０が貯湯タンク１００内の湯水を加熱する予定期間及び加熱量として、夜間の２３時から翌日の３時までの期間と加熱量３００リットルとを取得する。
【００９６】
そして、電源制御部２４０は、電源４００に電力を供給させる期間と電源４００に供給させる電力の値である電力値とを決定する（Ｓ２０４）。つまり、電源制御部２４０は、加熱部２０が貯湯タンク１００内の湯水を加熱する予定期間と加熱量とを用いて、電源４００に電力を供給させる期間と電力値とを決定する。例えば、当該予定期間及び加熱量が夜間の２３時から翌日の３時までの期間及び加熱量３００リットルであった場合、電源制御部２４０は、電源４００に電力を供給させる期間及び電力値を、翌日の３時から７時までの期間及び９０Ｗと決定する。
【００９７】
なお、電源制御部２４０は、加熱制御部２２０に、加熱部２０が貯湯タンク１００内の湯水を加熱する予定期間を翌日の３時から７時までの期間に変更させる指示を行い、電源４００に電力を供給させる期間を、夜間の２３時から翌日の３時までの期間と決定するなど、どのように当該期間を決定しても構わない。また、電力値についても、電源制御部２４０は、どのように当該電力値を決定しても構わない。
【００９８】
そして、電源制御部２４０は、時刻計測部２８０が計測する時刻を取得する（Ｓ２０６）ことで、当該時刻を用いて、決定した期間に決定した電力値の電力を電源４００に供給させる（Ｓ２０８）。つまり、電源制御部２４０は、電源４００に電力を供給させる期間及び電力値を翌日の３時から７時までの期間及び９０Ｗと決定した場合、時刻計測部２８０から現在時刻が３時であることを取得すれば、電源４００からの９０Ｗの電力供給を開始させる。また、電源制御部２４０は、時刻計測部２８０から現在時刻が７時であることを取得すれば、電源４００からの９０Ｗの電力供給を終了させる。
【００９９】
以上により、制御装置２００が備える電源制御部２４０が、電力供給期間及び電力値を決定して電源４００に電力を供給させる処理は、終了する。
【０１００】
次に、本発明に係る貯湯式給湯器１が取出口３００や電源４００などを備えることによる効果について、説明する。
【０１０１】
図７は、本発明の実施の形態に係る貯湯式給湯器１が取出口３００を備えることによる効果を説明するための図である。具体的には、図７の（ａ）は、取出口３００から取り出される湯水で洗濯を行う場合の使用例を示す図であり、図７の（ｂ）は、取出口３００から取り出される湯水で洗車を行う場合の使用例を示す図である。
【０１０２】
同図に示すように、本発明に係る貯湯式給湯器１によれば、湯水を取り出す取出口３００を、貯湯タンク１００を収容する筐体１１０近傍に備える。つまり、当該筐体１１０近傍に、付加機能として、湯水取り出し用の蛇口を備えているため、必要なときにすぐに湯を取り出すことができる。このため、当該貯湯式給湯器１を住宅の玄関脇等に設置することで、水栓工事を行うことなく屋外で湯水を簡易に使用することができる。したがって、当該貯湯式給湯器１を、隣地境界ではなく住宅の玄関脇等の目立つ場所に違和感無く設置することができるので、都市部の狭小地住宅でも、当該貯湯式給湯器１を設置することができる。
【０１０３】
また、取出口３００は、貯湯タンク１００の外方かつ筐体１１０の内方に配置される。つまり、取出口３００を、筐体１１０内のデッドスペースに配置する。ここで、貯湯タンクを備えないガス給湯器や石油給湯器は、湯水の取出口を設置するスペースがないので、設置するには新たに設置場所が必要である。このため、当該貯湯式給湯器１によれば、省スペース化を図りつつ、都市部の狭小地住宅に設置することができる。
【０１０４】
また、鍵１１１ａにより取出口３００からの湯水の供給を遮断することで、第三者によって取出口３００から湯水が取り出されるのを防ぐことができる。
【０１０５】
また、取出口３００から湯水を取り出して、貯湯タンク１００内の湯水が少なくなったり、一定時間経過した場合に、取り出す湯水の量を低減させたり、湯水の取り出しを停止させる。つまり、貯湯タンク１００内に一定量の湯水を確保するために、自動的に取出口３００からの湯量を制限する。これにより、生活に必要な湯量を確保しつつ、取出口３００から湯水を取り出すことができる。
【０１０６】
また、取出口３００から取り出された湯水の量に対応する量の湯水を加熱するように、加熱部２０に貯湯タンク１００内の湯水を加熱させる。このため、取出口３００から湯水が取り出されても、取り出された湯量に応じて貯湯タンク１００内の湯水が加熱されるため、貯湯タンク１００内の湯水が湯切れすることを防止することができる。
【０１０７】
また、低温の湯水を取り出したり、給水を取り出すための取出弁３１０を備える。つまり、取出口３００から、湯と水とを切り替えて取り出すことができる。このため、湯を使用する必要がない場合には、水に切り替えて取り出すことができるので、必要の無い湯を消費することを防止することができる。
【０１０８】
また、取出口３００から取り出される湯水の温度を所定の温度に保持する。これにより、例えば、湯水の温度を２５度程度の低温に自動的に固定することで、必要の無い高温の湯水を消費することを防止することができる。
【０１０９】
また、遠隔制御装置３０によって、取出口３００から取り出される湯水の量又は温度を制御する。このため、例えば需要家への給湯用として従来の貯湯式給湯器が備えているリモコンを活用して、取出口３００から取り出される湯水の量又は温度を制御することができる。
【０１１０】
図８は、本発明の実施の形態に係る貯湯式給湯器１が電源４００を備えることによる効果を説明するための図である。具体的には、同図は、電源４００から供給される電力で電気自動車の充電を行う場合の使用例を示す図である。
【０１１１】
同図に示すように、本発明に係る貯湯式給湯器１によれば、電力を供給する電源４００を、貯湯タンク１００を収容する筐体１１０近傍に備える。つまり、当該筐体１１０近傍に、付加機能として、電力供給用の電源４００を備えている。
【０１１２】
ここで、従来の貯湯式給湯器には、通常２００Ｖ電源が通電されているため、２００Ｖ電源コンセントを設置するために新たに２００Ｖ電源を通電させる必要がない。これに対し、通常、ガス給湯器や石油給湯器には、制御用、着火用またはファン駆動用などに使用される１００Ｖ電源しか通電されていないので、２００Ｖ電源コンセントを設置するには、新たに２００Ｖ電源を通電させる必要がある。
【０１１３】
このため、当該貯湯式給湯器１を住宅の玄関脇等に設置することで、電源工事を行うことなく屋外で電力を簡易に使用することができる。したがって、当該貯湯式給湯器１を、隣地境界ではなく住宅の玄関脇等の目立つ場所に違和感無く設置することができるので、都市部の狭小地住宅でも、当該貯湯式給湯器１を設置することができる。
【０１１４】
また、電源コンセントが、貯湯タンク１００の外方かつ筐体１１０の内方に配置される。つまり、当該電源コンセントを、筐体１１０内のデッドスペースに配置する。ここで、貯湯タンクを備えないガス給湯器や石油給湯器は、電源コンセントを設置するスペースがないので、設置するには新たに設置場所が必要である。このため、当該貯湯式給湯器１によれば、省スペース化を図りつつ、都市部の狭小地住宅に設置することができる。
【０１１５】
また、鍵１１２ａにより電源４００からの電力の供給を遮断することで、第三者によって電源４００から電力が盗電されるのを防ぐことができる。
【０１１６】
また、電源４００から供給される電力を所定の値以下に制限する。このため、貯湯式給湯器１が湯水の加熱に使用する電力に影響を与えないように、電源４００が供給する電力の値を制限することができる。
【０１１７】
また、時刻計測部２８０が計測した時刻を用いて、所定の期間に電源４００に電力を供給させる。つまり、貯湯式給湯器１に備えられている制御用の時計を利用して、電源４００から供給される電力の使用量を、タイマー制御することができる。これにより、例えば電気自動車や電動自転車の充電を、例えば夜間などの電気料金が安価な時間帯に行う場合にタイマー設定を行ったり、夜間のイルミネーションの点灯をタイマー設定したりすることができる。
【０１１８】
また、加熱部２０が湯水を加熱する予定期間と湯水の加熱量とから、電源４００に電力を供給させる期間と電源４００に供給させる電力値とを決定し、時刻計測部２８０が計測した時刻を用いて、決定した期間に決定した電力値の電力を電源４００に供給させる。つまり、例えば、湯水の加熱が終了した後に電流値を調整して電源４００からの電力供給を行うなど、電源４００に電力を供給させる期間や電力値を決定し、当該期間に当該電力値の電力を電源４００に供給させる。このため、タイマー制御を活用して、貯湯式給湯器１が湯水の加熱に使用する電力と、電源４００から供給される電力とのバランスを自動的に制御することができる。
【０１１９】
また、貯湯タンク１００の外方かつ筐体１１０の内方に、撮像装置５００、照明装置６００及び音声出力装置７００のうちの少なくとも１つを備える。つまり、従来、個別に設置する必要があったインターフォンやインターフォン用のカメラ、玄関照明などを、筐体内のデッドスペースに、付加機能として設置することができる。また、筐体内のデッドスペースに設置する撮像装置、照明装置及び音声出力装置として、監視カメラ、威嚇用のフラッシュライト及び音声威嚇用のスピーカなどを設置することにしてもよい。これによれば当該貯湯式給湯器１を住宅の玄関脇等に設置することで、監視や威嚇などのセキュリティ機能を備えた機器を設置することなく、屋外でのセキュリティ確保を簡易に図ることができる。また、筐体１１０内のデッドスペースに配置することで、省スペース化を図ることができる。したがって、当該貯湯式給湯器１を、隣地境界ではなく住宅の玄関脇等の目立つ場所に違和感無く設置することができるので、都市部の狭小地住宅でも、当該貯湯式給湯器１を設置することができる。
【０１２０】
また、遠隔制御装置３０によって、電源４００、撮像装置５００、照明装置６００及び音声出力装置７００のうちの少なくとも１つを制御する。このため、例えば需要家への給湯用として従来の貯湯式給湯器が備えているリモコンを活用して、電源４００、撮像装置５００、照明装置６００又は音声出力装置７００を制御することができる。
【０１２１】
また、遠隔制御装置３０による制御を、制御可能から制御不能に、又は制御不能から制御可能に切り替える。つまり、リモコンでの制御を不能にしたり、可能にしたり切り替えることができる。これにより、例えば筐体１１０近傍での付加機能の使用時に、リモコンでの制御を不能にしてリモコンによる不意の動作変更を防止したり、また、筐体１１０近傍での付加機能の終了忘れなどの場合に、リモコンで強制的に当該付加機能の終了を行えるようにしたりすることができる。
【０１２２】
また、本発明は、このような貯湯式給湯器１として実現できるだけでなく、貯湯式給湯器１を制御する制御装置２００として実現したり、当該制御装置２００を構成する各処理部をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【０１２３】
以上、本発明に係る貯湯式給湯器１について、上記実施の形態を用いて説明したが、本発明は、これに限定されるものではない。
【０１２４】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１２５】
例えば、本実施の形態では、取出口３００、電源４００、撮像装置５００、照明装置６００及び音声出力装置７００は、筐体１１０内のデッドスペースに配置されていることとした。しかし、取出口３００、電源４００、撮像装置５００、照明装置６００又は音声出力装置７００は、筐体１１０内に配置されていなくともよく、例えば、筐体１１０の側面に配置されているなど、筐体１１０近傍に配置されていればよい。
【０１２６】
また、本実施の形態では、蓋１１１には、湯水供給遮断部として鍵１１１ａが設置されていることとしたが、湯水供給遮断部として鍵１１１ａが設置されていなくともよく、湯水制御部２３０が湯水供給遮断部の機能を備えていてもよい。つまり、湯水制御部２３０が取出弁３１０を閉止することで、取出口３００からの湯水の取り出しを遮断することにしてもよい。
【０１２７】
また、本実施の形態では、蓋１１２には、電力供給遮断部として鍵１１２ａが設置されていることとしたが、電力供給遮断部として鍵１１２ａが設置されていなくともよく、電源制御部２４０が電源供給遮断部の機能を備えていてもよい。つまり、電源制御部２４０が電源４００への電力供給を停止することで、電源４００からの電力の供給を遮断することにしてもよい。具体的には、電源制御部２４０は、電源４００に電流を流さないようにすることで、電気的に電源４００からの電力の供給を遮断することにしてもよいし、２００Ｖ電源コンセント４１０または１００Ｖ電源コンセント４２０のコンセント孔を閉塞させることで、機械的に電源４００からの電力の供給を遮断することにしてもよい。
【０１２８】
また、本実施の形態では、貯湯式給湯器１は、制御装置２００を備え、取出弁３１０、電源４００、撮像装置５００、照明装置６００又は音声出力装置７００を制御することとした。ここで、制御装置２００が行う制御は、上記実施の形態での制御に限定されず、種々の制御が可能である。また、制御装置２００は、取出弁３１０、電源４００、撮像装置５００、照明装置６００又は音声出力装置７００を制御することなく、起動停止を行う機能のみを有していることにしてもよい。
【産業上の利用可能性】
【０１２９】
本発明に係る貯湯式給湯器によれば、都市部の狭小地住宅でも設置することができる貯湯式給湯器に適用でき、特に冷媒として二酸化炭素を用いたヒートポンプサイクルを利用したヒートポンプ式給湯器や家庭用ガスエンジンコージェネレーションシステム、家庭用燃料電池コージェネレーションシステムなどの貯湯式給湯器に適用できる。
【符号の説明】
【０１３０】
１  貯湯式給湯器
２  商用電力系統
３  負荷部
１０  給湯部
２０  加熱部
３０  遠隔制御装置
３１  切替部
１００  貯湯タンク
１１０  筐体
１１１〜１１５  蓋
１１１ａ〜１１５ａ  鍵
２００  制御装置
２１０  電力取得部
２２０  加熱制御部
２３０  湯水制御部
２４０  電源制御部
２５０  撮像制御部
２６０  照明制御部
２７０  音声制御部
２８０  時刻計測部
３００  取出口
３１０  取出弁
４００  電源
４１０  ２００Ｖ電源コンセント
４２０  １００Ｖ電源コンセント
５００  撮像装置
６００  照明装置
７００  音声出力装置
【図１】
2012002407.tif 000003
【図２】
2012002407.tif 000004
【図３】
2012002407.tif 000005
【図４】
2012002407.tif 000006
【図５】
2012002407.tif 000007
【図６】
2012002407.tif 000008
【図７】
2012002407.tif 000009
【図８】
2012002407.tif 000010